(57)【要約】【課題】装着したゴミ袋の脱落と破損を防止し、外部にはみ出したゴミ袋を視界から遮断する事により美観のアップと維持を図り、ゴミ袋の円滑な着脱と機能性の向上を得られるようにすること。【解決手段】受け皿と通気孔を設けた容器本体に、ゴミ袋の脱落と破損を防止し、美観のアップと維持を図るためのキャップを取り付ける。【選択図】          図５
2005015222.tif 000002
【特許請求の範囲】
【請求項１】
底部と側壁を有し、上端部が開口された容器の側壁上部に、外周を取り巻く受け皿１を備えてなる容器本体Ａと、容器本体Ａの上部を天板６を介して外側と内側から嵌着して覆い、容器本体Ａの開口部と連通する開口を有するキャップＢとからなるゴミ収納容器。
【請求項２】
上記のキャップＢ１の内側板１５を下方に延長し、容器本体Ａの側壁内面４に接してなる請求項１記載のゴミ収納容器。
【請求項３】
上記の容器本体Ａ１の側壁の一部に複数でなる通気孔１８を備えてなる請求項１または２のいずれかに記載のゴミ収納容器。
【発明の詳細な説明】
【０００１】
【発明の属する技術分野】
本発明は、装着したゴミ袋の脱落を防止し、外部にはみ出したゴミ袋を視界から遮断できるキャップと、受け皿及び通気孔を備えた容器本体とからなるゴミ収納容器に関するものである。
【０００２】
【従来の技術】
従来よりゴミ収納容器としては、蓋のある物、容器が二重になった物、そして簡便なゴミ箱や屑入れ等の様々な物が、家庭や職場で一般的に使用されており、昨今の環境問題やリサイクルの観点からも、専用のゴミ袋やスーパーのポリ袋をゴミ収納容器に装着して使用することは、日常的に行われている。
【０００３】
【発明が解決しようとする課題】
従来のゴミ収納容器にあっては、ゴミ袋を装着する際、ゴミ袋の開口部を外側に折り曲げて装着するものがほとんどであり、その為にゴミ袋の一部が剥き出しになり非常に体裁が悪く美観を損なうことが多かった。また、重量物やかさばるゴミを入れた際に、ゴミ袋が脱落したり破損して、その後の処理に手間がかかった。また、美観に配慮したゴミ収納容器においても、ゴミ袋の着脱が面倒でスピーディーな装着、取り外しが困難であった。さらに、ゴミ収納容器にゴミ袋を装着する際に容器とゴミ袋の間に空気が残留し、ゴミ袋をうまく広げる事ができづらかった。
本発明は、これらの欠点を解決し、美観のアップと機能性の向上を図るものである。
【０００４】
【課題を解決するための手段】
請求項１に記載の発明は、底部と側壁を有し、上端部が開口された容器の側壁上部に、外周を取り巻く受け皿１を備えてなる容器本体Ａと、容器本体Ａの上部を天板６を介して外側と内側から嵌着して覆い、容器本体Ａの開口部と連通する開口を有するキャップＢとからなるゴミ収納容器である。
請求項２に記載の発明は、上記のキャップＢ１の内側板１５を下方に延長し、容器本体Ａの側壁内面４に接してなる請求項１記載のゴミ収納容器である。
請求項３に記載の発明は、上記の容器本体Ａ１の側壁の一部に複数でなる通気孔１８を備えてなる請求項１または２のいずれかに記載のゴミ収納容器である。
本発明は、以上の構成からなるゴミ収納容器である。
【０００５】
【発明の実施の形態】
以下、本発明の実施の形態を図１〜図３を参照して説明する。
請求項１に記載の発明は、図示のように底部と側壁を有し、上端部を開口した容器の側壁外面２の上部に、外周を取り巻く受け皿１を備えてなる容器本体Ａと、容器本体Ａの受け皿１及び側壁外面２の上部、開口枠３並びに側壁内面４の上部を、天板６を介して外側を外側板７で、内側を内側板５で両側から嵌着して覆い、容器本体Ａの開口部と連通する開口を有するキャップＢとからなるゴミ収納容器である。
請求項２に記載の発明は、キャップＢ１の内側板１５を下方に延長し、容器本体Ａの側壁内面４に接してなる請求項１記載のゴミ収納容器である。
請求項３に記載の発明は、容器本体Ａ１の側壁の一部に複数でなる通気孔１８を備えてなる請求項１または２のいずれかに記載のゴミ収納容器である。
本発明は以上のような構造で、製作に際しては従来のゴミ容器と同様の素材を使用して差し支えないが、最も理想的なのはプラスチックを使用しての一体成型が好ましい。
また、本発明のゴミ収納容器を使用するときは、容器本体の内側にゴミ袋を装着して使用する訳であるが、この際のゴミ袋の厚みは、百分の一ミリ単位の厚さと非常に薄い為、極端に大きさの異なるゴミ袋等を使用しない限りゴミ袋の厚みはゴミ収納容器の使用に支障はきたさない。
また、ゴミ収納容器を使用する際は、容器本体内部にゴミ袋を装着し、容器本体に収まりきらなかったゴミ袋の開口部上部を、外側に折り曲げ側壁外面上部を覆う。その時に、ゴミ袋の開口部分が受け皿に届かないようであれば、そのまま上方よりキャップを被せる。また、ゴミ袋の開口部分が受け皿を覆ったり、手提げ付きのゴミ袋で、手提げ部分が受け皿より下方に垂れ下がる場合は、受け皿よりはみ出す部分を受け皿内部に指先で押し込んで収納し、その後、ゴミ袋を装着した容器本体にキャップを被せて使用する。
また、ゴミ袋を装着した容器本体にキャップを被せる訳であるが、その際に、キャップの装着を円滑にする為に、側壁と内側板の間に適当な間隙を設けるのが好ましい。
また、容器本体に装着したゴミ袋にキャップを被せる際に、ゴミ袋の破損やゴミ袋への引っ掛かりを防止するために、キャップの内側板の先端部には丸みを持たせるほうが好ましい。
さらに、ゴミ袋を装着したゴミ収納容器において、重量のあるゴミや、かさ張るゴミを投入した際、ゴミ袋のズレや脱落を確実に防止するために、弾力性を有し、摩擦係数の大きいゴムパッキン等を天板の形状より適度に縮小させて、天板の裏側に貼り付けてもよい。
また、美観により重点をおくならば、キャップの開口部を覆う蓋を設けてもよいし、キャップの上部にフード状の投函口を設けてもよい。
また、通気孔に関しては、ゴミ収納容器としての機能に支障をきたさない限り、大きさ、形状、数量そしてデザインも自由であり、例えば企業のロゴマークやアニメのキャラクター、さらに装飾品や欄間等に用いられる透かし彫りの技法を施しての風景画を通気孔にすることも可能である。さらに、通気孔は容器本体の下部に設けるほうが効果的であり、容器本体内部を空気を透過する丈夫な薄膜でコーティングして、ゴミ袋の着脱をスムーズにすることも可能である。
【０００６】
【実施例】
実施例について図面を参照して説明すると、図４は請求項３に記載の通気孔１８を備えたプラスチック成型品である容器本体Ａ１と、請求項２に記載の同じくプラスチック成型品のキャップＢ１を組み合わせた場合の実施例であり、容器本体Ａ１にゴミ袋を装着する前の前段階を示す分解斜視図である。実施に当たっては、図５で示すプラスチックフィルム製のゴミ袋１９を容器本体Ａ１の内側に装着し、容器内に収まりきらなかったゴミ袋１９の開口部分を外側に折り曲げ側壁外面１２の上部を覆う、この時、開口部分が受け皿１１よりはみ出すようであれば、ゴミ袋１９のはみ出した部分を受け皿１１の内側へ押し込んで、その後、上方よりキャップＢ１を容器本体Ａ１に被せる。この時、上記の受け皿１１は側壁外面１２の上部に溝をつくるよう突設されており、この溝幅及び深さは任意である。また、キャップＢ１を容器本体Ａ１に被せる際に、ゴミ袋１９に多少のズレは生じるが、キャップＢ１を完全に装着した状態では、ゴミ袋１９は天板１６により開口枠１３に押し付けられ、さらに内側板１５と側壁内面１４によってできる間隙で保持されて脱落を防止できる。また、容器本体Ａ１の内側にキャップＢ１の内側板１５を挿入することにより、ゴミ袋１９と容器本体Ａ１内部との間に残留した空気は側壁の下部に設けた通気孔１８より外部へ排出される。なお、キャップＢ１では、四角筒状の内側板１５の上端が略Ｕ字形状に折り返されて外側板１７を構成し、この折り返し部分である天板１６で内側板１５と外側板１７とが結合されている。外側板１７は受け皿１１に嵌合する。また、天板１６の内方に略四角形の開口が形成され、この開口よりゴミが投入される。
【０００７】
図６に示される実施例では、上端部を開口した逆円錐台形状の容器の側壁外面２２の上部に受け皿２１と、側壁下部に通気孔２８を備えた容器本体Ａ２と、容器本体Ａ２の側壁内面２４の上部に接してなる内側板２５を備えたキャップＢ２とからなるゴミ収納容器であり、ゴミ袋２９を容器本体Ａ２に装着する工程は前記内容と同様であるが、キャップＢ２を容器本体Ａ２に被せる際のゴミ袋のズレは、前実施例に比較して少なく、ゴミ袋２９を内側板２５と側壁内面２４の上部によって密着して固定できるため、より効果的にゴミ袋の脱落を防止できる。
また、実施に当たっては容器本体の形状は、逆四角錐台形状や逆六角錘台形状等その他の形状でも対応は可能である。
【０００８】
【発明の効果】
本発明は、以上説明したような形態で実施され、以下に記載されるような効果を発揮する。
容器本体の側壁外面上部に受け皿を設けたことにより、外部に折り返したゴミ袋の端をくくったり、フレーム枠にゴミ袋を装着したりする手間が省け、ゴミ袋の装着、取り外しがより簡単にできる。
また、容器本体に受け皿を設け、かつ容器本体を覆うキャップを形成する事により、ゴミ袋のはみ出しを防止し、美観のアップ及び維持を図ることができる。
そして、ゴミ袋を装着した容器本体にキャップを被せる事により、重量物やかさ張るゴミを投入した時や、屋外に設置した場合での突風や鳥獣によるゴミ漁り等によるゴミ袋の脱落や破損を防止できる。
さらに、容器本体に通気孔を設けた事により、ゴミ袋の装着がしやすく、容器内でゴミ袋を大きく拡張することができる。
【図面の簡単な説明】
【図１】ゴミ収納容器の分解斜視図である。
【図２】容器本体にキャップを装着した時の正面図及び半断面図である。
【図３】容器本体にキャップを装着した時の実施例を示す縦断面図である。
【図４】ゴミ収納容器の実施例を示す分解斜視図である。
【図５】ゴミ袋を装着した時の実施例を示す縦断面図である。
【図６】ゴミ収納容器の他の実施例を示す縦断面図である。
【符号の説明】
１，１１，２１  受け皿
２，１２，２２  側壁外面
３、１３  開口枠
４，１４，２４  側壁内面
５，１５，２５  内側板
６，１６，２６  天板
７，１７，２７  外側板
１８，２８  通気孔
１９，２９  ゴミ袋
Ａ，Ａ１，Ａ２  容器本体
Ｂ，Ｂ１，Ｂ２  キャップ
【図１】
2005015222.tif 000003
【図２】
2005015222.tif 000004
【図３】
2005015222.tif 000005
【図４】
2005015222.tif 000006
【図５】
2005015222.tif 000007
【図６】
2005015222.tif 000008